(57)【要約】      （修正有）【課題】補助電源を内蔵した無線充電装置及びその無線充電装置に脱着される補助電源装置を提供する。【解決手段】補助電源が内蔵された無線充電装置は、磁場を生成して無線で電子機器を充電する無線電力送信部２００と、電源入力部１２０から供給される電力を利用して内部に具備されたバッテリー３２０を充電するか、前記バッテリーを充電すると共に前記無線電力送信部に電力を伝達し、電源電力供給が遮断されると、内部に具備されたバッテリーを放電して無線電力送信部に電力を伝達する補助電源部と、を含む。【選択図】図１２
2015027247.tif 000002
【特許請求の範囲】
【請求項１】
外部電源が連結される電源入力部と、
磁場を通じて電子機器に無線で電力を送信する無線電力送信部と、
前記電源入力部から供給される電力で内部に具備されたバッテリーを充電するか、前記バッテリーを充電すると共に前記無線電力送信部に電力を伝達し、前記電源入力部から電力供給が遮断されると、内部に具備されたバッテリーの電力を前記無線電力送信部に伝達する補助電源部と、を含むこと
を特徴とする補助電源が内蔵された無線充電装置。
【請求項２】
前記補助電源は、バッテリーと、
前記電源入力部から供給される電力で前記バッテリーを充電し、前記電源入力部から電力供給が遮断されると、前記バッテリーに保存された電力を出力する充放電モジュールと、
前記充放電モジュールから出力される電力の電圧を昇圧して前記無線電力送信部に伝達するブーストコンバータと、を含むこと
を特徴とする請求項１に記載の補助電源が内蔵された無線充電装置。
【請求項３】
前記無線電力送信部と並列接続される有線出力部をさらに含むこと
を特徴とする請求項１に記載の補助電源が内蔵された無線充電装置。
【請求項４】
第１の電源入力部と、
第２の電源入力部と、
前記第１の電源入力部または前記第２の電源入力部から電源供給される電力を磁場に変換して電子機器を充電する無線電力送信部と、
入力端子、出力端子及びバッテリーを含み、前記入力端子は、前記第１の電源入力部及び第２の電源入力部と連結され、前記第１の電源入力部または前記第２の電源入力部から前記入力端子に供給される電力を前記バッテリーに充電するか、前記バッテリーに充電すると共に前記出力端子を通じて前記無線電力送信部に伝達し、前記第１の電源入力部及び前記第２の電源入力部から前記入力端子に供給される電力が遮断されると、前記バッテリーに保存された電力を前記出力端子を通じて前記無線電力送信部に伝達する補助電源部と、を含むこと
を特徴とする補助電源が内蔵された無線充電装置。
【請求項５】
前記補助電源部は、前記第１の電源入力部または前記第２の電源入力部から前記入力端子に供給される電力で前記バッテリーを充電し、前記第１の電源入力部及び第２の電源入力部から供給される電力が遮断されると、前記バッテリーを放電して電力を生成する充放電モジュールと、
前記充放電モジュールで生成された電力の電圧を昇圧して前記出力端子に伝達するブーストコンバータと、をさらに含むこと
を特徴とする請求項４に記載の補助電源が内蔵された無線充電装置。
【請求項６】
前記無線電力送信部と並列接続される有線出力部をさらに含むこと
を特徴とする請求項４に記載の補助電源が内蔵された無線充電装置。
【請求項７】
前記第１の電源入力部、前記第２の電源入力部及び前記入力端子を電気的に連結し、前記出力端子及び前記無線電力送信部を電気的に連結するコネクターをさらに含み、
前記第２の電源入力部、前記入力端子及び前記出力端子は、前記コネクターと脱着されること
を特徴とする請求項４に記載の補助電源が内蔵された無線充電装置。
【請求項８】
前記第１の電源入力部と前記無線電力送信部の電気的連結を開閉するスイッチをさらに含むこと
を特徴とする請求項４に記載の補助電源が内蔵された無線充電装置。
【請求項９】
第１の電源入力部、無線電力送信部及びコネクターを含む無線充電装置に脱着される補助電源装置であって、
第２の電源入力部と、
入力端子、出力端子及びバッテリーを含み、前記入力端子は、前記第１の電源入力部または第２の電源入力部と連結され、前記第１の電源入力部または前記第２の電源入力部から前記入力端子に供給される電力を前記バッテリーに充電するか、前記バッテリーに充電すると共に前記出力端子を通じて前記無線電力送信部に伝達し、前記第１の電源入力部及び前記第２の電源入力部から前記入力端子に供給される電力が遮断されると、前記バッテリーに保存された電力を前記出力端子を通じて前記無線電力送信部に伝達する補助電源部と、を含むこと
を特徴とする補助電源装置。
【請求項１０】
前記補助電源部の前記出力端子と連結される有線出力部をさらに含むこと
を特徴とする請求項９に記載の補助電源装置。
【発明の詳細な説明】
【技術分野】
【０００１】
本発明は、無線充電装置に関し、より詳しくは、補助電源を内蔵した無線充電装置及び無線充電装置に脱着される補助電源装置に関する。
【背景技術】
【０００２】
携帯電話、ノート型パソコン、ＰＤＡなどのような携帯型電子機器は、内部に具備された蓄電池に電気エネルギーを保存することでユーザが移動しながら使用可能に構成されており、このような携帯型電子機器の充電のためには別途の充電器が必要である。
【０００３】
一般的に、充電器は、常用電源と有線接続された状態で携帯型電子機器を充電させるので、ユーザの携帯性が弱化される問題があり、携帯型電子機器ごとに接続端子が相異なっているので、適合な充電器を別に準備するか購入しなければならない不便さがあった。
【０００４】
このような問題点を解決するための従来技術として、非接触式磁気誘導方式、すなわち、無線充電方式を採用した充電器(以下、無線充電器)が紹介されている。この従来技術の無線充電器を利用することで携帯型電子機器との直接的な有線連結なしにも携帯型電子機器に対する充電が可能となった。
【０００５】
しかし、無線充電器を利用して携帯型電子機器を充電する従来技術の場合にも、無線充電器自体は ＡＤ/ＤＣアダプタまたは専用ケーブルなど別途の有線手段との連結が必須的に要求されてユーザの携帯性が反感される問題があった。
【０００６】
また、無線充電器と互換される別途の有線手段が準備されなかった場合には、無線充電器を利用して携帯型電子機器を充電することが不可能であった。
【０００７】
また、無線充電器を専用アダプタではない有線手段(例えば、ＵＳＢ)と連結すれば、携帯型電子機器の充電に要求される電圧または電流を充分に供給できない問題もあった。
【発明の概要】
【発明が解決しようとする課題】
【０００８】
したがって、本発明は上述したような従来技術の問題点を解決するためになされたもので、その目的は、無線充電装置に補助電源を内蔵することで、ユーザが別途の有線手段を準備しなければならない不便さを除去し、無線充電装置の携帯性を強化することにある。
【０００９】
本発明の他の目的は、補助電源が内蔵された単一の無線充電装置を利用して多様な携帯型電子機器に対する充電を可能とし、これによって、携帯型電子機器ごとに別途の有線手段を準備するか購入しなければならない不便さとロスを除去することにある。
【００１０】
本発明のまた他の目的は、無線充電装置に補助電源を内蔵することで、常用電源との連結が困難な位置などでもユーザが携帯型電子機器を充電できるようにすることにある。
【００１１】
本発明のまた他の目的は、無線充電装置と脱着が可能な補助電源装置を提供することで、ユーザの状況に応じて無線充電装置と補助電源装置を独立的に使用可能にすることにある。
【課題を解決するための手段】
【００１２】
前記目的を達成するための本発明の一側面によれば、外部電源が連結される電源入力部と、磁場を通じて電子機器に無線で電力を送信する無線電力送信部と、前記電源入力部から供給される電力で内部に具備されたバッテリーを充電するか前記バッテリーを充電すると共に前記無線電力送信部に電力を伝達し、前記電源入力部から電力供給が中断されると、内部に具備されたバッテリーの電力を前記無線電力送信部に伝達する補助電源部と、を含む無線充電装置が提供される。
【００１３】
また、前記補助電源部は、バッテリーと、前記電源入力部から供給される電力を前記バッテリーに充電し、前記電源入力部から電力供給が中断されると、前記バッテリーを放電する充放電モジュールと、前記充放電モジュールから出力される電圧を昇圧して前記無線電力送信部に伝達するブーストコンバータと、を含むことができる。
【００１４】
また、前記無線電力送信部と並列接続される有線出力部をさらに含むことができる。
【００１５】
前記目的を達成するための本発明の他の側面によれば、第１の電源入力部と、第２の電源入力部と、前記第１の電源入力部または前記第２の電源入力部から供給される電力を磁場に変換して電子機器を充電する無線電力送信部と、入力端子、出力端子及びバッテリーを含み、前記入力端子は、前記第１の電源入力部及び第２の電源入力部と連結され、前記第１の電源入力部または前記第２の電源入力部から前記入力端子に供給される電力を前記バッテリーに充電するか、前記バッテリーに充電すると共に前記出力端子を通じて前記無線電力送信部に伝達し、前記第１の電源入力部及び前記第２の電源入力部から前記入力端子に供給される電力が遮断されると、前記バッテリーに保存された電力を前記出力端子を通じて前記無線電力送信部に伝達する補助電源部と、を含む無線充電装置が提供される。
【００１６】
また、前記補助電源部は、前記第１の電源入力部または前記第２の電源入力部から前記入力端子に供給される電力を前記バッテリーに充電し、前記第１の電源入力部及び第２の電源入力部から供給される電力が遮断されると、前記バッテリーを放電して電力を生成する充放電モジュールと、前記充放電モジュールで生成された電力の電圧を昇圧して前記出力端子に伝達するブーストコンバータと、をさらに含むことができる。
【００１７】
また、前記無線電力送信部と並列接続される有線出力部をさらに含むことができる。
【００１８】
また、前記第１の電源入力部、前記第２の電源入力部及び前記入力端子を電気的に連結し、前記出力端子及び前記無線電力送信部を電気的に連結するコネクターをさらに含み、前記第２の電源入力部、前記入力端子及び前記出力端子は、前記コネクターと脱着されることを特徴とする。
【００１９】
また、前記第１の電源入力部と前記無線電力送信部の電気的連結を開閉するスイッチをさらに含むことができる。
【００２０】
前記目的を達成するための本発明のまた他の側面によれば、第１の電源入力部、無線電力送信部及びコネクターを含む無線充電装置に脱着される補助電源装置であって、第２の電源入力部と、入力端子と、出力端子と、バッテリーと、を含み、前記入力端子は、前記第１の電源入力部または第２の電源入力部と連結され、前記第１の電源入力部または前記第２の電源入力部から前記入力端子に供給される電力を前記バッテリーに充電するか、前記バッテリーに充電すると共に前記出力端子を通じて前記無線電力送信部に伝達し、前記第１の電源入力部及び前記第２の電源入力部から前記入力端子に供給される電力が遮断されると、前記バッテリーに保存された電力を前記出力端子を通じて前記無線電力送信部に伝達する補助電源部を含む補助電源装置が提供される。
【００２１】
また、前記補助電源部の前記出力端子と連結される有線出力部をさらに含むことができる。
【発明の効果】
【００２２】
本発明は、無線充電装置に補助電源を内蔵することで、別途の有線手段を準備しなければならない不便さを除去し、携帯性を強化することができる。
【００２３】
また、本発明は、補助電源が内蔵された単一の無線充電装置を利用して多様な携帯型電子機器に対する充電を可能とすることで、器機ごとに別途の有線手段を準備するか購入しなければならない不便さとロスを除去することができる。
【００２４】
そして、本発明は、無線充電装置に補助電源を内蔵することで、常用電源との連結が困難な位置でもユーザが携帯型電子機器を充電することができる。
【００２５】
また、本発明は、無線充電装置と脱着が可能な補助電源装置を提供することで、ユーザは自分の状況に応じて無線充電装置と補助電源装置を独立的に利用することができる。
【図面の簡単な説明】
【００２６】
【図１】本発明の実施例による補助電源が内蔵された無線充電装置の構成を簡略に示した図である。
【図２】本発明の実施例による補助電源が内蔵された無線充電装置の構成を簡略に示した図である。
【図３】本発明の他の実施例による補助電源が内蔵された無線充電装置の構成を簡略に示した図である。
【図４】本発明の他の実施例による補助電源が内蔵された無線充電装置の構成を簡略に示した図である。
【図５】本発明による補助電源と無線電力送信部がコネクターを利用して脱着可能に連結された実施例を示した図である。
【図６】本発明による補助電源と無線電力送信部がコネクターを利用して脱着可能に連結された実施例を示した図である。
【図７】本発明による補助電源と無線電力送信部がコネクターを利用して脱着可能に連結された実施例を示した図である。
【図８】本発明による補助電源が内蔵された無線充電装置がケースに装着された実施例を示した図である。
【図９】本発明による補助電源が内蔵された無線充電装置がケースに装着された実施例を示した図である。
【図１０】本発明による補助電源が内蔵された無線充電装置がケースに装着された実施例を示した図である。
【図１１】本発明の実施例による補助電源装置が無線充電装置と結合された状態を示した図である。
【図１２】本発明の実施例による補助電源装置が無線充電装置から分離された状態を示した図である。
【発明を実施するための形態】
【００２７】
本明細書で開示される実施例は、本発明の範囲を限定することで解釈されるか利用されてはいけない。この分野の通常の技術者において、本明細書の実施例を含んだ説明は多様な応用可能なことが自明である。したがって、特許請求範囲により限定されない限り、任意の実施例は本発明を一層よく説明するための例示的なことで、本発明の範囲は実施例に限定されない。また、本発明の説明において、関連された公知構成または機能に対する具体的な説明が本発明の要旨を不明にする恐れがあると判断される場合にはその詳細な説明は省略する。
【００２８】
以下、添付図面を参照して本発明の実施例についてより詳細に説明する。
【００２９】
図１及び図２は、本発明の実施例による補助電源が内蔵された無線充電装置の構成を簡略に示した図である。
【００３０】
図１を参照すれば、本発明の実施例による補助電源が内蔵された無線充電装置は、電源入力部１００と、補助電源部３００と、無線電力送信部２００と、を含む。すなわち、無線電力送信部２００と補助電源部３００が一体型で結合された構造の無線充電装置が提供される。
【００３１】
電源入力部１００は、外部電源(例えば、常用電源)と連結されて補助電源部３００に電力を伝達する役目をする。
【００３２】
無線電力送信部２００は、磁場を利用して電力を送信して携帯型電子機器を充電する。
【００３３】
ここで、無線電力送信部２００には、磁気共鳴方式、電子気波方式、磁気誘導方式など多様な方式で電気エネルギーを利用して磁場を生成した後携帯型電子機器を充電することができる全ての手段が含まれる。
【００３４】
補助電源部３００は、電源入力部から供給される電力を内部に具備されたバッテリー３２０に保存する。この時、補助電源部３００は、内部に具備されたバッテリー３２０を充電すると共に出力される電力を無線電力送信部２００に伝達することができ、これによって、無線電力送信部２００は、電子機器を充電させることができる磁場を生成する。
【００３５】
また、補助電源部３００は、電源入力部から電力供給が中断されると、内部に具備されたバッテリー３２０を放電した後、放電により生成された電力を無線電力送信部２００に伝達する。
【００３６】
例えば、ユーザが意図的または非意図的に常用電源などの外部電源と電源入力部１００の連結を遮断すれば、補助電源部３００は、内部に具備されたバッテリー３２０を充電モードから放電モードに変更する。但し、電源入力部１００から電力供給が遮断された場合であっても、無線電力送信部２００から磁場を通じて無線で電力の伝達を受ける携帯型電子機器が存在しない場合には、補助電源部３００は、バッテリー３２０を放電モードに変更しないで中立状態で維持させることができる。この場合、バッテリー３２０は、２次電池を例示することができるが、これに限定されるものではない。
【００３７】
一方、本発明の他の実施例によれば、補助電源部３００は、充放電モジュール３１０及びブーストコンバータ３３０をさらに含むことができる。
【００３８】
充放電モジュール３１０は、電源入力部１００から電力の供給を受け、供給された電力でバッテリー３２０を充電する。また、充放電モジュール３１０は、電源入力部から電力供給が中断されると、バッテリー３２０に対する充電モードを放電モードに変更する。
【００３９】
ブーストコンバータ(Ｂｏｏｓｔ ｃｏｎｖｅｒｔｅｒ)３３０は、入力電圧より高い出力電圧が要求される場合に利用される。これによって、本発明の実施例によるブーストコンバータ３３０は、充放電モジュール３１０から出力される電圧の伝達を受けた後その電圧を昇圧して無線電力送信部２００に伝達する役目をする。
【００４０】
例えば、５Ｖの電圧が電源入力部１００から補助電源部３００に印加された後、充放電モジュール３１０を通過しながら３Ｖに降圧された場合を仮定する。この時、充放電モジュール３１０から出力された３Ｖを直ちに無線電力送信部２００に伝達すれば、無線電力送信部２００は携帯型電子機器の充電に必要な磁場を充分に生成できない。したがって、充放電モジュール３１０と無線充電器の間の経路間にブーストコンバータ３３０を連結して充放電モジュール３１０から出力される電圧を補償するようになる。
【００４１】
図２は、本発明の実施例による補助電源が内蔵された無線充電装置の他の構成を簡略に示した図である。
【００４２】
図２を参照すれば、本発明の実施例による補助電源が内蔵された無線充電装置は、無線電力送信部２００と並列接続される有線出力部４００をさらに含む。このような有線出力部４００は、故障などの原因により無線電力送信部２００が作動しないか、携帯型電子機器が無線電力送信部２００から出力される磁場に対する受信機能を具備しなかった場合に有線充電を提供する。
【００４３】
図３及び図４は、本発明の他の実施例による補助電源が内蔵された無線充電装置の構成を簡略に示した図である。
【００４４】
図３を参照すれば、本発明の他の実施例による補助電源が内蔵された無線充電装置は、第１の電源入力部１１０と、第２の電源入力部１２０と、補助電源部３００と、無線電力送信部２００と、を含む。
【００４５】
第１の電源入力部１１０と第２の電源入力部１２０は、外部電源(例えば、常用電源)と連結されて補助電源部３００に電力を伝達する役目をする。
【００４６】
無線電力送信部２００は、第１の電源入力部１１０または第２の電源入力部１２０から供給される電力を磁場に変換して携帯型電子機器を充電する。図３に示したように、第１の電源入力部１１０と第２の電源入力部１２０は、並列接続(ｐａｒａｌｌｅｌ ｃｏｎｎｅｃｔｉｏｎ)されるので、第１の電源入力部１１０と第２の電源入力部１２０のいずれか一つでも外部電源と連結されたら無線電力送信部２００に電力を供給することができる。
【００４７】
補助電源部３００は、入力端子３０１、出力端子３０２及びバッテリー３２０を含むことができる。この時、入力端子３０１は、第１の電源入力部１１０及び第２の電源入力部１２０と連結される。また、入力端子３０１は、第１の電源入力部１１０及び第２の電源入力部１２０から電力の供給を受けた後バッテリー３２０を充電させる。この場合、補助電源部３００は、内部に具備されたバッテリー３２０を充電すると共に出力端子３０２から出力される電力を無線電力送信部２００に伝達することができる。
【００４８】
一方、補助電源部３００は、入力端子３０１が第１の電源入力部１１０及び第２の電源入力部１２０との連結が切られて外部電源から供給される電力が遮断されると、バッテリー３２０を充電モードから放電モードに変更して電力を生成した後、出力端子３０２を通じて無線電力送信部２００に伝達することができる。この場合、バッテリー３２０は、２次電池を例示することができるが、これに限定されるものではない。
【００４９】
本発明の他の実施例による補助電源を内蔵した無線充電装置において、補助電源部３００は、充放電モジュール３１０及びブーストコンバータ３３０をさらに含むことができる。
【００５０】
充放電モジュール３１０は、第１の電源入力部１１０または第２の電源入力部１２０の中で少なくともいずれの一つから入力端子３０１に供給される電力をバッテリー３２０に充電する。この場合、充放電モジュール３１０は、バッテリー３２０を充電すると共に出力端子３０２と連結された無線電力送信部２００に電力を伝達することができる。また、第１の電源入力部１１０及び第２の電源入力部１２０が全て外部電源との連結が分離されて入力端子３０１に供給される電力が遮断されると、充放電モジュール３１０は、バッテリー３２０を放電させて電力を生成し、生成された電力を無線電力送信部２００に供給する。
【００５１】
ブーストコンバータ３３０は、充放電モジュール３１０から伝達される電力の電圧を昇圧した後出力端子３０２と連結された無線電力送信部２００に伝達する役目をする。
【００５２】
また、本発明の実施例による補助電源を内蔵した無線充電装置は、無線電力送信部２００と並列接続される有線出力部４００をさらに含むことができる。図４に示したように、有線出力部４００は、無線電力送信部と並列接続されることができるが、これに限定されるものではない。このような有線出力部４００は、無線電力送信部２００が故障などの原因により作動しないか、充電対象になる携帯型電子機器が無線電力送信部２００から出力される磁場に対する受信機能を具備しない場合に有線充電を提供するための構成である。
【００５３】
図５乃至図７は、本発明による補助電源と無線電力送信部２００が脱着可能に連結された実施例を示した図であり、図８乃至図１０は、本発明の実施例による補助電源が内蔵された無線充電装置がケース１０に装着された例を示した図である。
【００５４】
図５乃至図７を参照すれば、本発明の実施例による補助電源が内蔵された無線充電装置は、コネクター５００をさらに含むことができる。
【００５５】
コネクター５００は、第１の電源入力部１１０、第２の電源入力部１２０及び入力端子３０１を電気的に連結し、出力端子３０２及び無線電力送信部２００を電気的に連結する構成である。図６を参照すれば、ユーザは、前記コネクター５００を操作して無線電力送信部２００と補助電源部３００を物理的、電気的に脱着させることができる。具体的には、第２の電源入力部１２０と入力端子３０１は、コネクター５００と接続されることで第１の電源入力部１１０と電気的に連結され、出力端子３０２は、コネクター５００と接続されることで無線電力送信部２００と電気的に連結されるので、第２の電源入力部１２０と補助電源部３００は、コネクター５００から分離または結合されることができる。
【００５６】
また、図８乃至図１０に示したように、第２の電源入力部１２０と補助電源部３００がコネクター５００と結合される場合、第２の電源入力部１２０は、ケース１０内面に位置させることができる。すなわち、第１の電源入力部１１０だけが外部電源と連結可能にすることで、第１の電源入力部１１０と第２の電源入力部１２０の両方に外部電源が印加されて発生できる電源の間の衝突を防止することができる。
【００５７】
そして、本発明の実施例による補助電源を内蔵した無線充電装置は、有線出力部４００をさらに含むことができる。図９を参照すれば、有線出力部４００は、無線電力送信部と並列接続することができるが、これに限定されるものではない。このような有線出力部４００は、無線電力送信部２００が故障などの原因により作動しないか、充電対象になる電子機器が無線電力送信部２００から出力される磁場に対する受信機能を具備しない場合に有線充電を実施するための構成である。
【００５８】
一方、図７及び図１０を参照すれば、本発明の他の実施例による補助電源を内蔵した無線充電装置は、スイッチ６００をさらに含む。
【００５９】
第１の電源入力部１１０及び第２の電源入力部１２０の各々に電圧などがお互いに異なる電源が印加される場合、電源間の衝突により段落、過電流、発熱などの問題が発生できる。ここで、スイッチ６００は、第１の電源入力部１１０及び第２の電源入力部１２０が全て外部電源と連結されると、第１の電源入力部１１０と無線電力送信部の電気的連結を開放し、第１の電源入力部１１０または第２の電源入力部の中で少なくともいずれの一つが外部電源と分離されると、第１の電源入力部１１０と無線電力送信部を電気的に連結することができる。これによって、お互いに異なる電源が同時に印加される場合に発生できる電源間の衝突を防止することができる。
【００６０】
また、補助電源部３００と無線電力送信部２００がコネクター５００を通じて電気的に連結されると、スイッチ６００が開放されることで、第１の電源入力部１１０または第２の電源入力部１２０から供給される電力を先に補助電源部３００に伝達してバッテリー３２０を充電させた後、無線電力送信部２００に伝達することができる。これによって、補助電源部３００のバッテリー３２０と携帯型電子機器を同時に充電させることができる。
【００６１】
図１１及び図１２は、本発明の実施例による補助電源装置が無線充電装置と結合または分離された状態を示した図である。
【００６２】
図１１を参照すれば、本発明の実施例による補助電源装置は、第２の電源入力部１２０及び補助電源部３００を含み、第１の電源入力部１１０、無線電力送信部２００及びコネクター５００を含む無線充電装置に脱着されることができる。
【００６３】
第２の電源入力部１２０は、外部電源と連結されて補助電源部３００に電力を伝達する役目をする。
【００６４】
補助電源部３００は、入力端子３０１、出力端子３０２及びバッテリー３２０を含むことができる。ここで、入力端子３０１は、第１の電源入力部１１０または第２の電源入力部１２０と電気的に連結されて電力の印加を受ける構成である。また、補助電源部３００は、第１の電源入力部１１０または第２電源入力部１２０から入力端子３０１に供給される電力をバッテリー３２０に充電するか、バッテリー３２０に充電すると共に出力端子３０２を通じて無線電力送信部２００に伝達して携帯型電子機器を充電することができる。さらに、補助電源部３００は、第１の電源入力部１１０及び第２の電源入力部１２０から入力端子３０１に供給される電力が全て遮断されると、バッテリー３２０を放電して生成される電力を出力端子３０２を通じて無線電力送信部２００に伝達することができる。
【００６５】
図１２を参照すれば、本発明の実施例による補助電源装置は無線充電装置から分離されて独立的に使われることができる。
【００６６】
補助電源装置が分離された無線充電装置は、第１の電源入力部１１０を通じて外部電源の供給を受けて無線電力送信部２００が磁場を生成するようにする。
【００６７】
無線充電装置から分離された補助電源装置は、第２の電源入力部１２０を通じて外部電源の供給を受けてバッテリー３２０を充電する。
【００６８】
すなわち、補助電源装置が独立的に使われることで、有線手段が準備されていないか全ての外部電源との連結が不可能になった場合にも、充電されたバッテリー３２０を含む補助電源装置は、無線充電装置と結合されて携帯型電子機器に対する充電とする。
【００６９】
以上で記載した「含む」などの用語は、特別に反対される記載がない限り、該当構成要素が内在されることを意味し、他の構成要素を除外することではなく他の構成要素をさらに含むことが可能であると解釈する。
【００７０】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【符号の説明】
【００７１】
１００：電源入力部
１１０：第１の電源入力部
１２０：第２の電源入力部
２００：無線電力送信部
３００：補助電源部
３０１：入力端子
３０２：出力端子
３１０：充放電モジュール
３２０：バッテリー
３３０：ブーストコンバータ
４００：有線出力部
５００：コネクター
６００：スイッチ
１０：ケース
【図１】
2015027247.tif 000003
【図２】
2015027247.tif 000004
【図３】
2015027247.tif 000005
【図４】
2015027247.tif 000006
【図５】
2015027247.tif 000007
【図６】
2015027247.tif 000008
【図７】
2015027247.tif 000009
【図８】
2015027247.tif 000010
【図９】
2015027247.tif 000011
【図１０】
2015027247.tif 000012
【図１１】
2015027247.tif 000013
【図１２】
2015027247.tif 000014